(57)【要約】【課題】吐出風ユニットを任意の角度で回転させて様々な方向で暖めることができる上、本体ユニットが不注意により衣類などで覆われたときに、直ちに作動を停止して火災の発生を防ぐ布団乾燥機を提供する。【解決手段】布団乾燥機は、本体ユニット１及び吐出風ユニット２を備える。本体ユニット１は、第１の枢着部１５を有する。吐出風ユニット２は、本体ユニット１の第１の枢着部１５に枢着される第２の枢着部２６を有する。吐出風ユニット２の第２の枢着部２６と、本体ユニット１の第１の枢着部１５との枢着箇所には、回転位置決めユニット３が設けられる。本体ユニット１の収容空間１４内には、導風ユニット４、ヒーターユニット５及びエアーブローユニット６が順次接続されて配設される。本体ユニット１には、エアーブローユニット６に対応した箇所に、収容空間１４と連通した吸気口１６が少なくとも１つ設けられる。【選択図】図１
0003227047.tif 000002
【実用新案登録請求の範囲】
【請求項１】
本体ユニット及び吐出風ユニットを備えた、布団乾燥機であって、
前記本体ユニットは、第１の枢着部を有し、
前記吐出風ユニットは、前記本体ユニットの前記第１の枢着部に枢着される第２の枢着部を有し、
前記吐出風ユニットの前記第２の枢着部と、前記本体ユニットの前記第１の枢着部との枢着箇所には、回転位置決めユニットが設けられ、
前記本体ユニットの収容空間内には、導風ユニット、ヒーターユニット及びエアーブローユニットが順次接続されて配設され、
前記本体ユニットには、前記エアーブローユニットに対応した箇所に、前記収容空間と連通した吸気口が少なくとも１つ設けられ、
前記本体ユニット、前記吐出風ユニット及び前記導風ユニット間には、互いに連通する通風チャネルが形成され、前記通風チャネルは、前記吐出風ユニットの中空チャンバと連通し、前記吐出風ユニット上には、前記中空チャンバと連通した吐出風口が設けられ、
前記本体ユニットの前記収容空間内には、前記ヒーターユニット及び前記エアーブローユニットに接続された制御ユニットが配設され、
前記制御ユニットは、光電センサースイッチに接続され、
前記本体ユニット上には、透明パネルが設けられ、
前記光電センサースイッチと前記透明パネルとの位置が対応することを特徴とする、
布団乾燥機。
【請求項２】
前記本体ユニットの前記第１の枢着部の両側には、枢軸がそれぞれ設けられ、前記枢軸の軸心に沿って貫通孔が貫通して設けられ、前記貫通孔は、前記本体ユニットの前記収容空間と連通し、前記枢軸の端部には、係合凸縁が形成され、前記吐出風ユニットの前記第２の枢着部の両側には、前記中空チャンバと連通する枢着孔がそれぞれ形成され、前記本体ユニットの前記第１の枢着部の両側の前記枢軸は、前記吐出風ユニットの前記第２の枢着部の両側の前記枢着孔にそれぞれ枢着され、２つの前記枢軸の前記係合凸縁は、前記中空チャンバ内に位置し、２つの前記枢着孔の孔底に係合されて位置決めされ、前記導風ユニット内には、導風チャンバが形成され、前記導風ユニットの一端の両側には、前記導風チャンバと連通した吐出風孔がそれぞれ形成され、前記導風ユニットの２つの前記吐出風孔は、前記本体ユニットの２つの前記枢軸に形成された前記貫通孔に接続され、前記本体ユニット、前記吐出風ユニット及び前記導風ユニット間には、前記通風チャネルが形成され、前記導風ユニットには、前記吐出風孔と対をなす他端に、前記導風チャンバと連通する吸気口が形成され、前記ヒーターユニットが前記導風ユニットの前記吸気口に接続されることを特徴とする請求項１に記載の布団乾燥機。
【請求項３】
前記本体ユニットの前記第１の枢着部の両側には、枢軸がそれぞれ設けられ、前記枢軸の端部には、係合凸縁が形成され、前記吐出風ユニットの前記第２の枢着部の両側には、前記中空チャンバと連通する枢着孔がそれぞれ形成され、前記本体ユニットの前記第１の枢着部の両側の前記枢軸は、前記第２の枢着部の両側の前記枢着孔にそれぞれ枢着され、２つの前記枢軸の前記係合凸縁は、前記中空チャンバ内に位置し、２つの前記枢着孔の孔底に係合されて位置決めされ、前記回転位置決めユニットは、２つのリング歯部を有し、２つの前記リング歯部は、前記本体ユニットの２つの前記枢軸の前記係合凸縁にそれぞれ設けられ、２つのギヤをさらに備え、２つの前記ギヤは、前記吐出風ユニットの前記中空チャンバにそれぞれ配設されるとともに、２つの前記枢着孔にそれぞれ隣接し、２つの前記枢軸の前記係合凸縁に設けられた前記リング歯部と噛合し、前記ギヤの側面には、複数の位置決め凹部が等間隔の角度で設けられ、前記吐出風ユニットの前記中空チャンバの２つの前記ギヤの側部には、スリーブがそれぞれ設けられ、２つの前記スリーブには、弾性ピンがそれぞれ設けられ、前記弾性ピンは、２つの前記ギヤの前記位置決め凹部にそれぞれ当接されて位置決めされることを特徴とする請求項１に記載の布団乾燥機。
【考案の詳細な説明】
【技術分野】
【０００１】
本考案は、布団乾燥機に関し、特に、吐出風ユニットを任意の角度で回転させて様々な方向で暖めることができる上、本体ユニットが不注意により衣類などで覆われたときに、直ちに作動を停止して火災の発生を防ぐ布団乾燥機に関する。
【背景技術】
【０００２】
従来の布団乾燥機は、排風管及び布団乾燥袋を組み合さなければならず、布団を乾燥させることしかできず、その他衣類などを乾燥させることは困難であった。また、従来の布団乾燥機の吐出風口には一定方向に向けられた吐出風構造が採用されていたため、様々な位置に風を吐出することができず、使用上様々な制限を受ける上、布団乾燥機が不注意により布団などにより覆われて加熱し続け、火災などの事故が発生してしまうことがあった。
【考案の概要】
【考案が解決しようとする課題】
【０００３】
本考案の目的は、吐出風ユニットを任意の角度で回転させて様々な方向で暖めることができる上、本体ユニットが不注意により衣類などで覆われたときに、直ちに作動を停止して火災の発生を防ぐ布団乾燥機を提供することにある。
【課題を解決するための手段】
【０００４】
上記課題を解決するために、本考案の第１の形態によれば、本体ユニット及び吐出風ユニットを備えた、布団乾燥機であって、前記本体ユニットは、第１の枢着部を有し、前記吐出風ユニットは、前記本体ユニットの前記第１の枢着部に枢着される第２の枢着部を有し、前記吐出風ユニットの前記第２の枢着部と、前記本体ユニットの前記第１の枢着部との枢着箇所には、回転位置決めユニットが設けられ、前記本体ユニットの収容空間内には、導風ユニット、ヒーターユニット及びエアーブローユニットが順次接続されて配設され、前記本体ユニットには、前記エアーブローユニットに対応した箇所に、前記収容空間と連通した吸気口が少なくとも１つ設けられ、前記本体ユニット、前記吐出風ユニット及び前記導風ユニット間には、互いに連通する通風チャネルが形成され、前記通風チャネルは、前記吐出風ユニットの中空チャンバと連通し、前記吐出風ユニット上には、前記中空チャンバと連通した吐出風口が設けられ、前記本体ユニットの前記収容空間内には、前記ヒーターユニット及び前記エアーブローユニットに接続された制御ユニットが配設され、前記制御ユニットは、光電センサースイッチに接続され、前記本体ユニット上には、透明パネルが設けられ、前記光電センサースイッチと前記透明パネルとの位置は対応することを特徴とする、布団乾燥機を提供する。
【考案の効果】
【０００５】
本考案の布団乾燥機は、本体ユニットに第１の枢着部を設け、本体ユニットの第１の枢着部と枢着する第２の枢着部を吐出風ユニットに設け、本体ユニットと吐出風ユニットとが枢着されているため、実際に使用する際、吐出風ユニットを任意の角度で自在に回転させて様々な方向で暖めることができる。また、本体ユニットには、光電センサーユニットに対応した箇所に透明パネルが設けられているため、布団乾燥機が衣類、布団などで覆われて光電センサーユニットが遮られると、光電センサーユニットにより布団乾燥機のヒーターユニット、エアーブローユニットなどの作動を停止し、火災が発生することを防ぐことができるため、安全に使用することができる。
【図面の簡単な説明】
【０００６】
【図１】本考案の一実施形態に係る布団乾燥機を示す分解斜視図である。
【図２】本考案の一実施形態に係る布団乾燥機を示すもう一つの分解斜視図である。
【図３】本考案の一実施形態に係る布団乾燥機を示す横断面図である。
【図４】本考案の他の実施形態に係る布団乾燥機を示す正面断面図である。
【図５】本考案の一実施形態に係る布団乾燥機を展開した状態を示す斜視図（１）である。
【図６】本考案の一実施形態に係る布団乾燥機を展開した状態を示す斜視図（２１）である。
【図７】本考案の一実施形態に係る布団乾燥機を収納した状態を示す斜視図（１）である。
【図８】本考案の一実施形態に係る布団乾燥機を収納した状態を示す斜視図（２）である。
【考案を実施するための形態】
【０００７】
本考案の技術手段及びそれにより達成可能な効果を、より完全かつ明白に開示するために、開示した添付の図面及び符号と併せて本考案を以下に詳説する。
【０００８】
図１〜図４を参照する。図１〜図４に示すように、本考案の一実施形態に係る布団乾燥機は、少なくとも本体ユニット１と、吐出風ユニット２と、少なくとも１つの回転位置決めユニット３と、導風ユニット４と、ヒーターユニット５と、エアーブローユニット６と、制御ユニット７と、置物ユニット８と、から構成されてなる。
【０００９】
本体ユニット１は、第１のハウジング１１、第２のハウジング１２及び透明パネル１３が互いに突き合わされて接続して構成される。本体ユニット１内には、収容空間１４が形成される。
本体ユニット１の一端には、枢着ピンである第１の枢着部１５が設けられる。第１の枢着部１５の両側には、枢軸１５１がそれぞれ設けられ、枢軸１５１の軸心に沿って貫通孔１５２が貫通して設けられる。貫通孔１５２は、収容空間１４と連通し、枢軸１５１の端部には、係合凸縁１５３が形成される。本体ユニット１上には、少なくとも１つの吸気口１６が形成される。本実施形態の本体ユニット１の両側には、収容空間１４と連通した吸気口１６がそれぞれ形成される。吸気口１６には、吸気網カバー１６１がそれぞれ設けられる。吸気網カバー１６１の内面には、フィルタがそれぞれ設けられる。
【００１０】
吐出風ユニット２は、第１のハウジングカバー２１、第２のハウジングカバー２２及び第３のハウジングカバー２３が突き合わされて接続して構成される。吐出風ユニット２内には、中空チャンバ２４が形成される。吐出風ユニット２の一端には、中空チャンバ２４と連通する吐出風口２５が設けられる。吐出風口２５には、吐出風網カバー２５１が取り付けられる。吐出風網カバー２５１の内面には、フィルタ２５２が取り付けられる。
吐出風ユニット２には、吐出風口２５と対をなす他端に、枢溝である第２の枢着部２６が設けられる。第２の枢着部２６の両側には、枢着孔２６１がそれぞれ形成され、枢着孔２６１とその中空チャンバ２４とが連通する。本体ユニット１の第１の枢着部１５の両側の枢軸１５１は、第２の枢着部２６の両側の枢着孔２６１にそれぞれ枢着され、２つの枢軸１５１の端部の係合凸縁１５３は、中空チャンバ２４内に位置し、２つの枢着孔２６１の孔底に係合されて位置決めされる。本体ユニット１の一端面には、吐出風ユニット２を折り畳んで収納するスペース１７が設けられている。
【００１１】
本実施形態の回転位置決めユニット３は、本体ユニット１の第１の枢着部１５の２つの枢軸１５１と、吐出風ユニット２の第２の枢着部２６の２つの枢着孔２６１との枢着箇所に設けられている。本体ユニット１の第１の枢着部１５の２つの枢軸１５１の係合凸縁１５３には、リング歯部３１がそれぞれ設けられる。吐出風ユニット２の中空チャンバ２４に隣接する２つの枢着孔２６１には、ギヤ３２がそれぞれ設けられ、２つの枢軸１５１の係合凸縁１５３のリング歯部３１と噛み合うとともに、ギヤ３２の側面には、複数の位置決め凹部３２１が等間隔の角度で設けられている。
吐出風ユニット２の中空チャンバ２４の２つのギヤ３２の側部には、スリーブ３３がそれぞれ設けられる。２つのスリーブ３３には、弾性ピン３４がそれぞれ設けられる。２つの弾性ピン３４は、２つのギヤ３２の位置決め凹部３２１にそれぞれ当接されて位置決めされる。弾性ピン３４は、ばね３４１及びピン杆３４２を含む。ばね３４１及びピン杆３４２は、スリーブ３３内に順次収容され、弾性ピン３４を構成する。
【００１２】
導風ユニット４は、本体ユニット１の収容空間１４内に配設される。導風ユニット４内には、導風チャンバ４１が形成される。導風ユニット４の一端の両側には、吐出風孔４２がそれぞれ形成される。２つの吐出風孔４２は、導風チャンバ４１とそれぞれ連通し、導風ユニット４の２つの吐出風孔４２は、本体ユニット１の第１の枢着部１５の２つの枢軸１５１に形成された貫通孔１５２に接続され、導風ユニット４の導風チャンバ４１が吐出風孔４２、本体ユニット１の枢軸１５１の貫通孔１５２を介し、吐出風ユニット２の中空チャンバ２４と連通し、本体ユニット１、吐出風ユニット２及び導風ユニット４間に通風チャネルが形成される。導風ユニット４には、吐出風孔４２と対をなす他端に、導風チャンバ４１と連通する吸気口４３が形成される。
【００１３】
ヒーターユニット５は、ＰＴＣ（Ｐｏｓｉｔｉｖｅ  Ｔｅｍｐｅｒａｔｕｒｅ  Ｃｏｅｆｆｉｃｉｅｎｔ）ヒーターである。ヒーターユニット５は、本体ユニット１の収容空間１４内に配設されるとともに、導風ユニット４の吸気口４３に接続される。
【００１４】
エアーブローユニット６は、本体ユニット１の収容空間１４内に配設されるとともに、本体ユニット１の吸気口１６に対応して位置する。エアーブローユニット６は、送風部６１を有する。エアーブローユニット６の送風部６１は、ヒーターユニット５に接続される。
【００１５】
制御ユニット７は、本体ユニット１の収容空間１４内に配設されるとともに、ヒーターユニット５及びエアーブローユニット６に接続される。制御ユニット７は、光電センサースイッチ７１に接続され、光電センサースイッチ７１と本体ユニット１の透明パネル１３との位置が対応し、本体ユニット１の吸気口１６及び吐出風ユニット２の吐出風口２５には、制御ユニット７に接続された温度センサーがそれぞれ設置される。
【００１６】
置物ユニット８は、本体ユニット１の一側に取付けられる。
【００１７】
図５及び図６に示すように、実際に使用するときは、吐出風ユニット２の第２の枢着部２６と本体ユニット１の第１の枢着部１５とを枢着し、吐出風ユニット２を本体ユニット１に対して０〜１８０度の任意の角度で回転させることができる。吐出風ユニット２の角度を調整するときは、吐出風ユニット２の２つの枢着孔２６１に組立てたギヤ３２と、本体ユニット１の２つの枢軸１５１に設けたリング歯部３１とを噛合して案内し、吐出風ユニット２を本体ユニット１に対して円滑かつ安定的に旋回させることができる。吐出風ユニット２を所望の角度に調整するときは、ギヤ３２内面の位置決め凹部３２１に弾性ピン３４を当接させて位置決めさせ、吐出風ユニット２を調整した後の角度を固定する。
【００１８】
制御ユニット７の光電センサースイッチ７１に光線が照射されると、ヒーターユニット５及びエアーブローユニット６が作動し、エアーブローユニット６により本体ユニット１の両側の吸気口１６を介して空気が吸入され、空気を加圧して風力を発生させる。送風部６１からヒーターユニット５に向かって吹き付けられると、ヒーターユニット５により加熱された熱風が導風ユニット４の吸気口４３に向かって吹き付けられ、導風ユニット４の導風チャンバ４１を介して導風ユニット４の両側の吐出風孔４２から吹き出し、本体ユニット１の第１の枢着部１５の両側の貫通孔１５２を通ってから吐出風ユニット２の中空チャンバ２４中に吹き入り、吐出風ユニット２の吐出風口２５を介して熱風が外部へ吐出される。これにより、様々な位置に置かれた衣類、布団などに吹き付けて乾燥させることができる。
【００１９】
本考案の布団乾燥機は、不注意により衣類、布団などが光電センサースイッチ７１を覆うと、光電センサースイッチ７１が、乾燥機のヒーターユニット５、エアーブローユニット６などの動作を停止させて乾燥機が加熱し続けて火災などの事故を起こすことを防ぎ、安全に使用することができる。また、本考案の布団乾燥機を使用しないときは、図７及び図８に示すように、吐出風ユニット２を本体ユニット１に向けて折り畳み、本体ユニット１の端面に凹設されたスペース１７に吐出風ユニット２を折り畳んで収容することができる。そのため、本考案の乾燥機を扁平状に折り畳んで、乾燥機が占めるスペースを小さくし、電源コードを置物ユニット８内に収容することができるため、携帯したり収納して保管したりすることが容易である。
【符号の説明】
【００２０】
１  本体ユニット
２  吐出風ユニット
３  回転位置決めユニット
４  導風ユニット
５  ヒーターユニット
６  エアーブローユニット
７  制御ユニット
８  置物ユニット
１１  第１のハウジング
１２  第２のハウジング
１３  透明パネル
１４  収容空間
１５  第１の枢着部
１６  吸気口
１７  スペース
２１  第１のハウジングカバー
２２  第２のハウジングカバー
２３  第３のハウジングカバー
２４  中空チャンバ
２５  吐出風口
２６  第２の枢着部
３１  リング歯部
３２  ギヤ
３３  スリーブ
３４  弾性ピン
４１  導風チャンバ
４２  吐出風孔
４３  吸気口
６１  送風部
７１  光電センサースイッチ
１５１  枢軸
１５２  貫通孔
１５３  係合凸縁
１６１  吸気網カバー
２５１  吐出風網カバー
２５２  フィルタ
２６１  枢着孔
３２１  位置決め凹部
３４１  ばね
３４２  ピン杆
【図１】
0003227047.tif 000003
【図２】
0003227047.tif 000004
【図３】
0003227047.tif 000005
【図４】
0003227047.tif 000006
【図５】
0003227047.tif 000007
【図６】
0003227047.tif 000008
【図７】
0003227047.tif 000009
【図８】
0003227047.tif 000010